(57)【要約】      （修正有）【課題】焦電性トルマリン鉱石から放出する膨大なマイナスイオンと遠赤外線の還元作用で、細胞を活性化させて新陳代謝を促進させる洗顔美容エステイ、及び肩こり疲労回復等行う、新しい技術開発行うこと。【解決手段】裏面におしぼりパット添付用マジック面テープが固着された名刺大繊維活性炭袋シート１を６区画に区切った各々に、焦電性粒状トルマリン鉱石が適量充填されてなる構造のマイナスイオン放出シートを、二つ折りにしたおしぼりパット４の中面に４枚並べて添付する。【選択図】図２
2006239373.tif 000002
【特許請求の範囲】
【請求項１】
裏面に、おしぼりパット添付用、マジック面テープが固着された名刺大繊維活性炭袋シートを６区画に区切った各々に、焦電性粒状トルマリン鉱石が適量充填されてなる構造の、マイナスイオン放出シートを、二つ折りした、おしぼりパット中面に４枚並べて添付行ったものを、マイナスイオン放出おしぼりパット洗顔美容エステイを行う場合、顔全面に二つ折りしたマイナスイオン放出おしぼりパットを宛がい、更にその上から熱い濡れタオルを乗せて約１０分間、加熱行う方法で、焦電性トルマリン鉱石から１立方メートル中、４０００個以上の膨大なマイナスイオンと遠赤外線を放出させて、これまで洗顔美容エステイを行う場合、必ず使用されてきたクレンジングクリーム、その他洗顔化粧品等を一切使用せず、マイナスイオン還元作用で生成された、おしぼりパット含水、弱アルカリイオン水分で、皮膚を潤わせ、血液を弱アルカリ性にして、血行を良くし、細胞を活性化させると同時に、顔面の新陳代謝を促進させる方法の、新しいマイナスイオン放出おしぼりパット使用、洗顔美容エステイを考案したものである。更に二つ折りした、おしぼりパット内に、マイナスイオン放出トルマリンシートと、市販使い捨て発熱カイロを併用挿入して、長時間トルマリン鉱石加熱（約５０度）によって膨大放出されるマイナスイオンと遠赤外線の還元作用から、体内活性酸素を瞬時中和して、全身を弱アルカリ性にすることで、細胞を活性化させ、新陳代謝を促進させる方法で、肩こり、疲労回復、その他老化防止等、行うことを特徴とした、トルマリン鉱石、発熱カイロ併用マイナスイオン放出、おしぼりパット。
【発明の詳細な説明】
【発明に属する技術分野】
【０００１】  従来行われている女性美顔パック法、及び使い捨て発熱カイロ（ほかほか）の改良分野であるが、最近天然トルマリン鉱石から、強力なマイナスイオンが天然放出することが知られ、特に焦電性トルマリン鉱石を応用したマイナスイオン放出電化製品、健康用具、その他、衣料品、化粧品等に至るまで、巾広い分野でマイナスイオン放出商品が開発されている、本発明に於いても、粒状トルマリン鉱石から、天然放出するマイナスイオンと遠赤外線の還元作用を応用して、新にマイナスイオン還元、弱アルカリイオン水、洗顔美容おしぼりパット、及び肩こり、疲労回復目的に、トルマリン鉱石シート付発熱カイロマイナスイオン放出おしぼりパットを、新に開発行ったものである。
【背景技術】
【０００２】  最近、天然トルマリン鉱石から放出するマイナスイオンの還元作用を応用した各種マイナスイオン放出商品が多く販売されている、特に化粧品については、トルマリン鉱石パウダー入り、化粧クリーム及び、化粧水等が販売されているものである、しかしその天然鉱石マイナスイオン放出効果について、これまでに、色々と疑問が生じている訳である、学者の説によると、焦電性トルマリン鉱石とは、熱を加えることによって表面にマイナスイオンが帯電する性質を、焦電性と定義しているものであって、焦電性を示さないトルマリン鉱石には、もともと自発分極自体が無い可能性を示していると説明されている、過去多くのトルマリン鉱石販売業者が、焦電性トルマリン鉱石を販売する場合、焦電性について詳しい説明も、又マイナスイオン放出測定も行わないままに販売していたようで、最近になって加熱無しに使用してきた、化粧品その他衣料品等のユーザから、マイナスイオンの人体還元有効作用の有無が問われているものである、又市販されている使い捨て発熱カイロについても、同じく、マイナスイオン放出効果の有無が問われている訳である、今市販されている発熱カイロの全商品が、扱い捨て消耗品となっている為、高価なトルマリン鉱石は使用されていないにも拘わらず、各製造メーカでは、カイロ使用原料の粉末活性炭、及び粉末竹炭等から、身体に有効なマイナスイオンが放出していると表示販売されているものである、確かに活性炭、竹炭等からマイナスイオンは放出するものであるが、微弱なマイナスイオンの放出で実質、体内活性酸素を中和したり、体内血液を弱アルカリ性にするだけの効力があるのだろうか、実に疑問を感じるところである。
【発明の開示】
【発明が解決しようとする課題】
【０００３】  焦電性トルマリン鉱石を使用したマイナスイオン放出商品について、今厳しく問われていることは、常温使用において本当にトルマリン鉱石から人体に有効なマイナスイオンが放出されているかどうかと言うことである、特に加熱使用が不可能である、トルマリン鉱石パウダー入化粧クリーム、トルマリンマイナスイオン化粧水等については、誰もがその有効性に疑いを持っているものである、本発明に於いては、この焦電性、トルマリン鉱石の焦電性という、特性をよく理解して、新しく人体に実質有効なマイナスイオン放出還元作用が得られる、加熱式、粒状トルマリン鉱石入り、繊維活性炭シート添付マイナスイオン放出おしぼりパット、及び、加熱式、粒状トルマリン鉱石入り繊維活性炭袋シートと、更に使い捨て発熱カイロとを併用添付した、おしぼりパットを、新しく技術開発行うと同時に、従来洗顔美容エステイに、必ず使用されてきた、クレンジングクリームその他洗顔化粧品等に含有する、毛穴深部に溜まる、皮脂溶融薬品成分及び、防腐薬品成分等が、洗顔後、何時までも顔面毛穴深部に残るという、化粧品公害の欠陥を、完全に防止する、新しい無公害マイナスイオン洗顔美容エステイの技術開発行うことを、本発明の課題としたものである、
【課題を解決するための手段】
【０００４】  焦電性トルマリン鉱石マイナスイオン発生データーによると、鉱石を１０℃加熱する毎にマイナスイオン放出量は約２倍に増加すると言う、実験データーがある、焦電性トルマリン鉱石を使用する場合、加熱して使用すれば、必ず膨大なマイナスイオンと遠赤外線が放出される訳である、しかし焦電性トルマリンパウダー入り化粧品を顔面に塗付けて、直接顔面を加熱することは無理であるが、新しく考案した粒状トルマリン鉱石マイナスイオン放出おしぼりパット使用の場合は、二つ折りした、おしぼりの中に、トルマリン鉱石入り繊維活性炭シートを４枚並べて添付し、それを顔面に宛がって、更にその上から、熱い濡れタオルを乗せて、約１０分間の、弱アルカリイオン水反応、洗顔美容エステイを行えば、確実に焦電性トルマリン鉱石から膨大なマイナスイオンと遠赤外線が放出して、そのイオン還元作用から、顔面が弱アルカリ性になって、血行が良くなり、細胞が活性化して、新陳代謝が一層と促進されて、化学的に若返ると言う手段である、又肩こり、疲労回復目的に、トルマリンマイナスイオン放出おしぼりパットを使用する場合は、二つ折りした、おしぼりパットの中に、市販使い捨て発熱カイロ１枚を入れて、トルマリンシートと併用使することで、更に膨大なマイナスイオンと遠赤外線が放出して、血行が良くなり、全身の新陳代謝が長時間促進されることで、肩こり、筋肉疲労等を速やかに回復させるのが、課題を解決する為の手段である。【０００５】  焦電性トルマリン鉱石は別名を〔電気石〕と言い、一部宝石としても使用される他に工業用マイナスイオン放出材として広く使用されている、しかしこれまでトルマリン鉱石販売業者によっては、焦電性によるマイナスイオン放出の原理を詳しく説明することなく、又マイナスイオン放出量の測定も行わないまま販売していた為に、その後に於いて、各ユーザから、焦電性トルマリン鉱石使用マイナスイオン放出商品について、人体に有効なマイナスイオン放出の有無が、各インターネット、その他、関係機関紙等を通じて、厳しく問われているものである。【０００６】  トルマリン鉱石は、０．３ミクロンに砕いても、結晶の両端にプラスとマイナスの極性を持ち続け、実験では両端の間に生じる電位差は１００万ボルトに及んでいる、１９９６年施行された、新食品添加物規制に伴う〔厚生省告示第１２０号〕に於いて、電気石の名称で〔既存添加物名簿〕に収載され、更に〔食品衛生小六法〕で食品添加物として正式に認可もされているものである。又１９９６年１０月には、化粧品原料としても厚生省から新に、トルマリン鉱石、トルマリンパウダー等の使用が認可されている。【０００７】  焦電性トルマリン鉱石は１ＣＣあたり、１立方メートル中に、２０００個以上のマイナスイオンを放出すると同時に、遠赤外線も放出するという、特性を持っている、その為、水に触れると、瞬時水をマイナスイオン化させ、弱アルカリ性水質に変えるものである、又、空気中の水分と触れてもマイナスイオンを放出し、更に人体内部の水分とも反応してマイナスイオンを体内に吸収し、特に体内の活性酸素を中和して無害化すると同時に、体液を弱アルカリ性に変えることで、血行を良くし、細胞を活性化させ、新陳代謝を促進させ���ことから、美容効果と疲労回復、老化防止等に大きく作用することが、医学的にも認められているものである。【０００８】  生活環境周辺に存在するマイナスイオン数は１立方メートル中、下記の通りである
家屋の室内        ４０−５０個
家屋の室外        １００−２００個
屋外周辺          ３００−３５０個
緑地周辺          ４００−６００個
山野周辺          １０００−１５００個
海辺、滝の付近    ４０００個以上
マイナスイオン放出おしぼりパット使用の場合
常温使用          約２０００個
４０度加温        約４０００個
４５度加温        約５０００個
【作用】
【０００９】  焦電性トルマリン鉱石加熱使用によって、鉱石から放出される膨大な、マイナスイオン及び遠赤外線の還元作用から、顔面皮下血液が瞬時、弱アルカリ性となるため、特に毛細血管の血流が良くなり、細胞が活発化して、免疫機能が高まると同時に、新陳代謝が促進されて、毛穴深部に残留する、皮脂その他老廃物等がマイナスイオンの還元作用から電気分解されて、残らず除去されるものである、更にマイナスイオン水の皮下水分浸透によって、細胞組織のバランスが整う為、皮膚が潤い、しみ、しわ、その他の老化現象が回復されて、健康体の顔に若返ると言う作用が発揮されるものである、その他にも、通常の弱マイナスイオンでは不可能とされた、体内活性酸素の中和も、強力膨大なマイナスイオンの還元作用によって、中和無害化が可能となるものである、このマイナスイオン効果が、肩こり、疲労等を回復すると同時に、人体酸性化を防止して、健康体が保たれると言う、素晴らしい作用が認められるものである。
【発明の効果】
【００１０】  従来、洗顔美容パックを行う場合、石鹸洗顔の後、必ずクレンジングクリームが使用されたものである、これは石鹸で落ちない顔面毛穴深部に残留する、皮脂及び老廃物等をクレンジングクリーム含有、化学薬品溶融成分で溶融して、完全に除去行うものであった、しかし、これまで長年問題となっていたことは、クレンジングクリーム使用後の毛穴深部に、どうしても化学薬品溶融成分と、クリーム防腐剤成分等が残ってしまうという、洗顔化粧品独特の公害問題があったものである、この問題に対して本発明トルマリンマイナスイオン放出洗顔美容おしぼりパット使用の場合は、水以外、化粧品等は一切使用しない為、全く問題は発生しない訳である、更にマイナスイオン放出おしぼりパットエステイを約１０分間行うと、マイナスイオン還元作用で生成された、弱アルカリ性イオン水が、皮膚深く浸透して、尚も、顔面血液までも、弱アルカリ性にすることから、顔面の血行が良くなり、細胞が活性化して、肌は潤い、美顔効果は一層と促進されるものである、更に水だけを使用して、しかも簡単に行える、洗顔美容エステイであれば、優れた経済効果も発揮されるものである。次にマイナスイオン放出おしぼりパットに、市販発熱カイロを併用して、肩こり、疲労回復等に使用する方法であるが、この場合の発熱カイロ温度が長時間、約５０℃に達するため、焦電性粒状トルマリン鉱石から放出されるマイナスイオンの数は１立方メートル中、約８０００個にも及ぶものでる、この膨大なマイナスイオン８０００個が体内血液を瞬時、弱アルカリ性にする効果と、更に全身の血行が良くなって、細胞を活性化させる効果は、従来の洗顔美容エステイには無かったことで、効果は誠に大であることが考えられる。
【発明を実施するための最良の形態】
【００１１】  マイナスイオン放出おしぼりパットを洗顔美容エステイに使用する場合は、先ず二つ折りした、おしぼりパットを、顔面全体に覆い被せて、更にその上から熱湯に浸した（約４０度）タオルを全面に覆うものである、その場合、目も鼻も口も完全に覆う訳であるが、このおしぼりパットに挿入した、粒状トルマリン鉱石入り繊維活性炭シート材質も、おしぼりパット材質も全て通気性が良好である為、全く呼吸に支障は無く、又目にトルマリン鉱石還元マイナスイオン水が入っても人体無害が〔厚生省告示第１２０号〕において、すでに認可されているものである、水以外に何も使用せず、しかも簡単に経費をかけずに行えるのが、マイナスイオン放出おしぼりパット洗顔美容エステイの特徴となっている。又、マイナスイオン放出おしぼりパットを、肩こり、その他、疲労回復目的に使用する場合も、二つ折りした、おしぼりパットの中に、トルマリンシートと市販発熱カイロ１枚を挿入したものを、下着の上から患部に宛てる方法で、発熱カイロの自然発熱体（約５０度）で、粒状焦電性トルマリン鉱石からは、１立方メートル中約、８０００個以上と言う、膨大なマイナスイオンと遠赤外線が放出されて、体内血液が、瞬時、弱アルカリ性になることから、血行が良くなり、細胞が活性化して長時間、新陳代謝が促進される為、早期に、肩こり、疲労等が回復されて健康体になる訳である。
【実施例】
【００１２】  当初市販品、トルマリン鉱石パウダー入りシートを使って、マイナスイオン放出洗顔美容エステイを試みたところ、濡れた熱いタオルを乗せた為、パウダーが溶けて流れ出すという欠陥があった、新に比較的通気性のある繊維活性炭袋シートに粒状トルマリン鉱石を分譲して充填したものを、二つ折り、おしぼりパットの中に四枚並べて添付し、それを顔全面に宛てて、更にその上に熱いタオルを乗せて洗顔エステイを実施したところ、呼吸も十分にできて何の問題もなく、約１０分間の洗顔美容エステイが無事成功したものである、更にその後、使い易い商品にする為に、繊維活性炭袋シート裏面にマジック面テープを固着したり、二つ折りした、おしぼりを顔面の大きさに合わして、スマートなパット状に加工行ったものである、実施したマイナスイオン洗顔美容エステイ法については、洗顔用化粧品を使わず単に水だけの使用で経費もかからず簡単にできたことが特に評価されたものであった。次にマイナスイオン洗顔美容エステイ実施の美容効果であるが、長期間の使用実績が無いことから、実質効果は分からないものである、しかし使用して頂いたモデル女達からは、洗顔美容エスティ後、お化粧の乗りが大変良くなったと報告を受けている、理論的には、顔面にマイナスイオン弱アルカリ水が深く浸透する為、肌は潤い見た目には綺麗になっているはずである、いずれにしても、使用実績ができるまで、効果については報告できない訳である。
【産業上の利用可能性】
【００１３】  焦電性トルマリン鉱石を加熱して膨大なマイナスイオンと遠赤外線を放出させた場合、人体に影響する還元作用も大となって、色々効果が発揮できるものである、マイナスイオン放出おしぼりパットが産業上に利用できるのは下記の通りである。
（１）トルマリンマイナスイオン洗顔美容エステイ
（２）トルマリンマイナスイオン頭部脱毛防止キャップ
（３）トルマリンマイナスイオン体内活性酸素中和マスク
（４）トルマリンマイナスイオン肩こり疲労回復発熱カイロ
【図面の簡単な説明】
【００１４】
【図１】粒状トルマリン鉱石入りマイナスイオン放出繊維活性炭袋シート斜視図
【図２】マイナスイオン放出繊維活性炭袋シート添付おしぼりパット展開斜視図
【図３】トルマリン活性炭シート及び発熱カイロ、併用おしぼりパット展開斜視図
【図４】マイナスイオン放出、二つ折り、おしぼりパット本体斜視図
【図５】マイナスイオン放出、おしぼりパット洗顔美容エステイ実施斜視図
【符号の説明】
【００１５】（１）トルマリンマイナスイオン放出繊維活性炭袋シート本体
（２）マイナスイオン放出繊維活性炭袋シート固着マジック面テープ
（３）粒状トルマリン鉱石、繊維活性炭袋シート分譲充填部
（４）二つ折り、おしぼりパット展開シート
（５）市販、使い捨て発熱体カイロ本体
（６）二つ折りマイナスイオン放出おしぼりパット本体
（７）人体頭部ヘアー
（８）おしぼりパット洗顔美容エステイ実施顔面
（９）粒状トルマリン繊維活性炭袋シート通気部
【図１】
2006239373.tif 000003
【図２】
2006239373.tif 000004
【図３】
2006239373.tif 000005
【図４】
2006239373.tif 000006
【図５】
2006239373.tif 000007